(57)【要約】【課題】乗員を撮影するカメラの配置による表示制約又は外観影響が少ない撮像装置及び車両用表示装置を提供する。【解決手段】撮像装置７０は、装置中央において車両の乗員に向けて情報を表示する中央表示部１０と、中央表示部１０に対して側方に位置する一対の側方部１１と、を備える車両用表示装置１００に設けられる。撮像装置７０は、側方部１１に配置され、乗員を撮影するカメラ７１を備える。【選択図】図６
2019018751.tif 000002
【特許請求の範囲】
【請求項１】
車両（１）に搭載され、装置中央において前記車両の乗員に向けて情報を表示する中央表示部（１０）と、前記中央表示部に対して側方に位置する一対の側方部（１１）と、を備える車両用表示装置（１００）に設けられた撮像装置であって、
前記側方部に配置され、前記乗員を撮影するカメラ（７１）を備える撮像装置。
【請求項２】
前記車両用表示装置よりも視認側に前記車両のステアリング操作部（４）が配置されており、前記ステアリング操作部の正位置において、前記中央表示部が前記ステアリング操作部に設けられた開口部（４ｅ）を通じて前記情報を表示し、
前記カメラは、光軸（ＯＡ）の延長線（ＥＬ）が前記正位置における前記開口部を通過するように、前記中央表示部の表示面（１０ａ）に対して傾斜して配置されている請求項１に記載の撮像装置。
【請求項３】
前記光軸の延長線は、前記車両に設定された基準アイポイント中心（ＣＳＥ）を通るように、設定されている請求項２に記載の撮像装置。
【請求項４】
前記ステアリング操作部は、円環状のリム部（４ａ）及び前記リム部をステアリングシャフトに接続する接続部（４ｂ）を有し、
前記開口部は、前記リム部と前記接続部の間において半円状に開口し、
前記正位置における前記開口部の内部にて、前記リム部と前記接続部とに対して等距離となる位置を結ぶ仮想の開口分割線（ＯＤＬ）を定義すると、
前記カメラは、前記側方部のうち、前記基準アイポイント中心と前記開口分割線上の点を結ぶ仮想直線（ＩＳＬ）が交差する位置に配置されている請求項３の撮像装置。
【請求項５】
前記車両用表示装置よりも視認側に前記車両のステアリング操作部（４）が配置されており、前記ステアリング操作部の正位置において、前記中央表示部が前記ステアリング操作部に設けられた開口部（４ｅ）を通じて前記情報を表示し、
前記ステアリング操作部は、円環状のリム部（４ａ）及び前記リム部をステアリングシャフトに接続する接続部（４ｂ）を有し、
前記開口部は、前記リム部と前記接続部の間において半円状に開口し、
前記正位置における前記開口部の内部にて、前記リム部と前記接続部とに対して等距離となる位置を結ぶ仮想の開口分割線（ＯＤＬ）を定義すると、
前記カメラは、前記側方部のうち、前記車両に設定された基準アイポイント中心と前記開口分割線上の点を結ぶ仮想直線（ＩＳＬ）が交差する位置に配置されている請求項１に記載の撮像装置。
【請求項６】
前記車両用表示装置のうち前記カメラが配置された前記側方部以外に配置され、照明光の照明により前記乗員を照明する照明部（８０）をさらに備える請求項１から５のいずれか１項に記載の撮像装置。
【請求項７】
前記車両用表示装置は、前記車両用表示装置よりも視認側に突出したフード（２ｂ）に、上方から囲まれ、
前記カメラは、前記一対の側方部のうち、前記車両のサイドウインドウ（５ａ）に対してより近距離となる側方部（１１ａ）に、配置されている請求項１から６のいずれか１項に記載の撮像装置。
【請求項８】
前記車両用表示装置は、前記車両の縦中心面（ＬＭＰ）に対して偏心して設けられ、
前記カメラは、前記一対の側方部のうち、前記縦中心面に対してより近距離となる側方部（１１ｂ）に、配置されている請求項１から６のいずれか１項に記載の撮像装置。
【請求項９】
車両（１）に搭載された車両用表示装置であって、
装置中央において前記車両の乗員に向けて情報を表示する中央表示部（１０）と、
前記中央表示部に対して側方に位置する一対の側方部（１１）と、
前記側方部に配置され、前記乗員を撮影するカメラ（７１）と、を備える車両用表示装置。
【発明の詳細な説明】
【技術分野】
【０００１】
本開示は、撮像装置及び車両用表示装置に関する。
【背景技術】
【０００２】
従来、車両に搭載された車両用表示装置に設けられた撮像装置が知られている。特許文献１に開示の撮像装置は、乗員を撮影するカメラを備えている。カメラは、車両用表示装置の装置中央において車両の乗員に向けて情報を表示する中央表示部に、配置されている。
【先行技術文献】
【特許文献】
【０００３】
【特許文献１】特許第５１２２７８２号公報
【発明の概要】
【発明が解決しようとする課題】
【０００４】
しかしながら、中央表示部にカメラを配置する場合、配置スペースの問題により、中央表示部の表示に用いる各部品の配置が困難になってしまう。この結果、例えば中央表示部の指針表示又は画像表示のサイズを縮小するなど、中央表示部の表示に制約が生じることがあった。
【０００５】
また、車両表示部の中でも中央表示部は、乗員に視認される頻度が高いので、カメラの配置箇所が目立ってしまうことが懸念されている。
【０００６】
開示されるひとつの目的は、乗員を撮影するカメラの配置による表示制約又は外観影響が少ない撮像装置及び車両用表示装置を提供することにある。
【課題を解決するための手段】
【０００７】
ここに開示された撮像装置は、車両（１）に搭載され、装置中央において車両の乗員に向けて情報を表示する中央表示部（１０）と、中央表示部に対して側方に位置する一対の側方部（１１）と、を備える車両用表示装置（１００）に設けられた撮像装置であって、
側方部に配置され、乗員を撮影するカメラ（７１）を備える。
【０００８】
このような撮像装置によると、カメラは、中央表示部に対して側方に位置する側方部に配置されている。このようなカメラの配置では、中央表示部の表示に用いる各部品の配置に対して及ぼす影響が少ないので、中央表示部の表示に制約が生じることを抑制できる。また、側方部は、中央表示部よりも乗員に視認される頻度が低く、また乗員が中央表示部に誘目されるので、カメラの配置箇所が目立ち難くなる。以上により、乗員を撮影するカメラの配置による表示制約又は外観影響が少ない撮像装置を提供することができる。
【０００９】
また、ここに開示された車両用表示装置は、車両（１）に搭載された車両用表示装置であって、
装置中央において車両の乗員に向けて情報を表示する中央表示部（１０）と、
中央表示部に対して側方に位置する一対の側方部（１１）と、
側方部に配置され、乗員を撮影するカメラ（７１）と、を備える。
【００１０】
このような車両用表示装置によると、カメラは、中央表示部に対して側方に位置する側方部に配置されている。このようなカメラの配置では、中央表示部の表示に用いる各部品の配置に対して及ぼす影響が少ないので、中央表示部の表示に制約が生じることを抑制できる。また、側方部は、中央表示部よりも乗員に視認される頻度が低く、また乗員が中央表示部に誘目されるので、カメラの配置箇所が目立ち難くなる。以上により、乗員を撮影するカメラの配置による表示制約又は外観影響が少ない車両用表示装置を提供することができる。
【００１１】
なお、括弧内の符号は、後述する実施形態の部分との対応関係を例示的に示すものであって、技術的範囲を限定することを意図するものではない。
【図面の簡単な説明】
【００１２】
【図１】第１実施形態の車両におけるレイアウトを示す図である。
【図２】第１実施形態における車両用表示装置の左右の断面を示す断面図である。
【図３】第１実施形態における車両用表示装置の上下の断面を示す断面図である。
【図４】第１実施形態における撮像装置の構成を示すブロック図である。
【図５】第１実施形態のカメラを拡大して示す拡大図である。
【図６】第１実施形態におけるカメラと開口部との関係を説明するための正面図である。
【図７】第１実施形態におけるカメラと開口部との関係を説明するための上下の断面を示す断面図である。
【図８】比較例１における図６に対応する図である。
【図９】比較例１における図７に対応する図である。
【図１０】比較例２における図６に対応する図である。
【図１１】比較例２における図７に対応する図である。
【図１２】第２実施形態における図１に対応する図である。
【発明を実施するための形態】
【００１３】
以下、複数の実施形態を図面に基づいて説明する。なお、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合せることができる。
【００１４】
（第１実施形態）
本開示の第１実施形態による撮像装置７０は、図１に示すように、車両１に搭載され、車両１の乗員を撮影する。本実施形態の撮像装置７０は、車両１の乗員、特に運転者の顔を撮影対象として撮影し、その画像を処理することで、当該運転者の居眠りやわき見等の状態を監視するドライバステータスモニタ（Driver Status Monitor、ＤＳＭ）に利用されている。
【００１５】
本実施形態の撮像装置７０は、車両用表示装置１００に設けられている。撮像装置７０は、車両用表示装置１００と共に、乗員が着座する座席３とは前後に対向するインストルメントパネルに設置されている。より詳細に、撮像装置７０は、車両用表示装置１００と共にインストルメントパネル２のうち、運転者が着座する運転席３ａと前後に対向する運転席対向部２ａに設置されている。
【００１６】
ここで、本実施形態において、前後、上下、左右等の方向に関する表現は、水平面上の車両１を基準として定義される。右及び左は、前方を向く座席３に着座した乗員を基準に定義される。
【００１７】
車両１において運転席対向部２ａと運転席３ａのヘッドレストとの間には、当該車両１のステアリング操作部４が配置されている。ステアリング操作部４は、車両１を操舵するステアリングシステムにおいて、運転者に回転操作される操作部を構成している。ステアリング操作部４は、円環状のリム部４ａ、及び当該リム部４ａをステアリングシャフトに接続する接続部４ｂを有している。接続部４ｂは、ステアリングシャフトの軸上に配置されたセンターパット部４ｃ、及びセンターパット部４ｃとリム部４ａを接続するためにリム部４ａの径方向に伸びるスポーク部４ｄ等を有している。
【００１８】
そして、ステアリング操作部４には、リム部４ａ及び接続部４ｂに囲まれて開口する開口部４ｅが形成されている。開口部４ｅは、ステアリング操作部４の正位置（すなわち、車両１が直進する操舵角となる位置）において、当該ステアリング操作部４の上方に位置し、円弧部を上方に配した半円状（ないしは扇形状）に形成されている。
【００１９】
本実施形態の運転席３ａは、車両１の縦中心面ＬＭＰ（直進姿勢にある自動車の左右車輪間の中点を通る鉛直面）に対して、右に偏心した位置に、より厳密には縦中心面ＬＭＰより右に、配置されている。したがって、本実施形態の車両１は、いわゆる右ハンドル車であり、車両用表示装置１００も縦中心面ＬＭＰに対して右に偏心した位置に、より厳密には縦中心面ＬＭＰより右に、配置されている。
【００２０】
車両１の右方及び左方には、それぞれサイドウインドウ５ａ，５ｂが設けられている。車両用表示装置１００が右に偏心しているので、車両用表示装置１００に対して右のサイドウインドウ５ａから太陽光等の外光が車両用表示装置１００側に入射し易い。例えば、朝日や夕方の西日等、低い角度（０〜３０度）からの光は、車両用表示装置１００に入射し易い傾向がある。一方で、インストルメントパネル２の上面部が車両用表示装置１００を上方から囲むように、車両用表示装置１００よりもステアリング操作部４側に突出したフード２ｂを形成している。したがって、車両用表示装置１００の一部（後述する側方部１１）は、右のサイドウインドウ５ａから入射した外光に対するフード２ｂの影となり易い。
【００２１】
また車両１において、車両用表示装置１００よりも左のセンタ部には、当該車両用表示装置１００とは別の情報表示装置、オーディオ機器、空調操作パネル等のセンタ配置機器６が配置されている。
【００２２】
図２〜３に示すように、車両用表示装置１００は、指針５０が指標３１を指示することによるアナログ表示と、画像表示器２０が表示する画像によるデジタル表示とを組み合わせたコンビネーションメータとなっている。これらアナログ表示及びデジタル表示は、装置中央において視認側に位置する乗員へ向けて情報を表示する中央表示部１０にて実施される。
【００２３】
表示される情報としては、例えば車両１の速度、エンジン回転数、燃料残量、エンジン冷却水の水温、電動モータの電流値、その他車両１の異常等の車両１の状態が挙げられる。その他表示される情報としては、例えば警報、道路情報、視界補助情報、電子メール等の各種情報が挙げられる。こうして表示される情報は、車両用表示装置１００がステアリング操作部４に対して視認側とは反対側（以下、反視認側という）に配置されていることにより、中央表示部１０は、基準アイポイント中心ＣＳＥから、主にステアリング操作部４の開口部４ｅを通じて表示する情報を視認され得る。
【００２４】
ここで基準アイポイント中心ＣＳＥとは、各車両毎に設定された仮想の点であり、通常の運転状態における運転者の左目及び右眼の位置を代表する点である。基準アイポイント中心ＣＳＥは、一般的に、シーティングリファレンスポイントの直上６３５ｍｍの高さに設定される。シーティングリファレンスポイントとは、人体模型をＩＳＯ６５４９−１９８０に規定する着座方法により運転席等の座席に着座させた場合における人体模型Ｈ点（当該模型の股関節点）の位置又はこれに相当する座席上に設定した設計標準位置をいう。
【００２５】
このような車両用表示装置１００は、画像表示器２０、表示板３０、表示用光源部４０、指針５０、ウインドプレート６０及び撮像装置７０等により構成されている。
【００２６】
本実施形態において、基準アイポイント中心ＣＳＥは、左眼アイレンジＬＥＲの中心と右眼アイレンジＲＥＲの中心との中点におよそ一致している。
【００２７】
本実施形態において画像表示器２０は、薄膜トランジスタ（Thin Film Transistor、ＴＦＴ）を用いた透過型の液晶パネルであって、２次元方向に配列された複数の液晶画素から形成されたアクティブマトリクス型の液晶パネルが採用された液晶表示器となっている。なお、画像表示器２０としては、液晶表示器以外の有機ＥＬディスプレイ等が採用されてもよい。
【００２８】
表示板３０は、一般的に文字板とも呼ばれており、車両用表示装置１００において、ウインドプレート６０及びウインドプレート６０の視認側開口部を塞ぐ透明板１３に囲まれた空間に露出する露出部品である。表示板３０は、例えばポリカーボネイト樹脂ないしはアクリル樹脂等の合成樹脂からなる透光性の基材の表面に、半透光性又は遮光性の印刷が部分的又は全体的に施されて、平板状に形成されている。なお、印刷に代えて、塗装が施されていてもよく、近赤外光を透過する光学樹脂又は光学フィルタ材が貼付等により表示板に保持されていてもよい。
【００２９】
表示板３０は、画像表示器２０よりも視認側に配置されている。表示板３０において画像表示器２０と重なる箇所には、印刷等が施されないことにより、画像が表示板３０と干渉せずに視認側に表示される。表示板３０において、画像表示器２０を挟んだ左右の領域には、指針５０に指示される指標３１がそれぞれ形成されている。表示板３０の指標３１は、表示用光源部４０により、反視認側から照明される。
【００３０】
表示用光源部４０は、表示板３０よりも反視認側に配置されており、可視表示光を発光する複数の表示用発光素子４１を有している。各表示用発光素子４１には、例えば発光ダイオード素子が採用されており、各表示用発光素子４１は、平板状の基板１５上の導通パターンを通じて電源と接続されることで、表示板３０に向けて可視表示光を発光する。具体的に、表示用発光素子４１は、例えば、可視表示光として、４００〜８００ｎｍ程度の波長の範囲に広く分布した光からなる白色光を発光する。
【００３１】
表示板３０には、上述の印刷等により、遮光領域及び表示領域が形成されている。遮光領域は、表示板３０の多くの面積を占めており、遮光性の印刷等により暗色（例えば黒色）をなすことで、反視認側からの可視表示光を遮光している。表示領域は、半透光性の印刷が施されることないしは印刷が施されないことにより、反視認側からの可視表示光を透過するようになっており、指標３１が表示領域に設定されていることにより、当該指標３１が発光して表示されている。
【００３２】
指針５０は、画像表示器２０を左右に挟むように、複数設けられている。特に本実施形態では、指針５０が左右の領域に１つずつ設けられている。各指針５０は、連結部５１及び指示部５２を一体的に有している。連結部５１は、表示板３０よりも反視認側に配置されており、基板１５に保持されたステッピングモータ５３の回転軸と連結されている。指示部５２は、表示板３０よりも視認側に配置されており、針状を呈していることで、指標３１を指示可能となっている。
【００３３】
各指針５０は、ステッピングモータ５３の出力に応じて回転軸まわりに回動するようになっており、それぞれ対応する指標３１を指示することにより、指示位置に応じた情報を表示するようになっている。特に本実施形態では、左側の指針５０及び指標３１により、車両１の速度が表示され、右側の指針５０及び指標３１により、車両１のエンジン回転数が表示されるようになっている。
【００３４】
本実施形態では、画像表示器２０に加えて、指針５０及び当該指針５０に指示される指標３１が、中央表示部１０を構成している。表示板３０の視認側表面が実質的に中央表示部１０の表示面１０ａを構成している。
【００３５】
ウインドプレート６０は、見返し板とも呼ばれており、表示板３０を囲むと共に、表示板３０よりも視認側に突出するように、車両用表示装置１００の外周に沿った筒状に形成されている。ウインドプレート６０は、表面を暗色（例えば黒色）に形成されることで、車両用表示装置１００の奥行感を演出し、入射してくる外光の反射を抑制して中央表示部１０の視認性を高めつつも、それ自身は目立ち難くなっている。
【００３６】
ウインドプレート６０は、表示板３０に対して略垂直に延伸して外周側を向く外周壁部６１、及び視認側に向かう程、外周側の外周壁部６１に近づくように傾斜して内周側を向く内周壁部６２を有している。
【００３７】
撮像装置７０は、図４にも示すように、カメラ７１、画像処理部７４、照明部８０等により構成されている。
【００３８】
カメラ７１は、図５に詳細を示すように、車両用表示装置１００の側方部１１に配置されている。ここで側方部１１とは、車両用表示装置１００のうち、中央表示部１０に対して側方に位置する部分であり、中央表示部に対して右に位置する側方部１１ａと、左に位置する側方部１１ｂとが一対設けられている。
【００３９】
図１に示すように、車両用表示装置１００が縦中心面ＬＭＰに対して右に偏心して設けられているので、一対の側方部１１のうち側方部１１ａは、サイドウインドウ５ａに対して、より近距離となっている。こうした側方部１１ａに、本実施形態のカメラ７１は配置されている。
【００４０】
図５に示すように、カメラ７１は、基板１５とは別のカメラ保持部材１７により保持されている。カメラ７１は、撮像素子７２、及び撮像素子７２上に撮影対象を結像するためのレンズ部７３を有している。
【００４１】
撮像素子７２は、フォトダイオード等の検出素子による画素を２次元に配列して形成された矩形状の撮像面７２ａに入射する光を検出する。撮像素子としては、例えばＣＭＯＳセンサ等、可視光から近赤外光にかけて良好な感度を持ち、検出する像の解像度が高い素子が採用されている。
【００４２】
レンズ部７３は、１つないしは複数のレンズ７３ａにより構成されている。本実施形態において、レンズ７３ａにおいて光を屈折する各屈折面７３ｂの曲率中心を結ぶ仮想軸が、光軸ＯＡとして定義される。レンズ部７３に非球面レンズが含まれる場合にも、各屈折面７３ｂの回転対称軸により光軸ＯＡが定義される。本実施形態では、光軸ＯＡが撮像面７２ａに対して垂直に、撮像面７２ａの中心点を通過するように設定されている。
【００４３】
特に本実施形態のカメラ７１は、図２に示すように、側方部１１のうち、ウインドプレート６０において外周壁部６１と内周壁部６２との間に形成され、外周壁部６１及び内周壁部６２により視認側から覆われている配置空間６３に配置されている。そして、ウインドプレート６０においてカメラ７１のレンズ部７３と対向する内周壁部６２の対向領域には、プレート開口穴６２ａが開けられている。こうして、デッドスペースになりがちな配置空間６３にカメラ７１が配置されることにより、当該配置空間６３が有効活用されている。
【００４４】
カメラ７１は、その光軸ＯＡ及び撮像面７２ａを、表示板３０の視認側表面に対して傾斜して配置されている。具体的にカメラ７１は、そのレンズ部７３が車両用表示装置１００の内周側（換言すると左側）を向くように傾斜している。なお、表示板３０に対する撮像面７２ａの傾斜角は、表示板３０に対する内周壁部６２の傾斜角より小さく設定されている。
【００４５】
そして、光軸ＯＡを視認側に延長した仮想の延長線ＥＬは、ステアリング操作部４の正位置における開口部４ｅを通過するように、設定されている。特に本実施形態では、延長線ＥＬが基準アイポイント中心ＣＳＥを通るように、設定されている。
【００４６】
この結果、カメラ７１は、基準アイポイント中心ＣＳＥ付近から開口部４ｅを通過した後、プレート開口穴６２ａを通過した光を撮像素子により検出可能となっている。換言すると、カメラ７１は、開口部４ｅを通じて乗員を撮影可能となっている。
【００４７】
さらに、図６，７に示すように、正位置におけるステアリング操作部４の開口部４ｅの内部において、リム部４ａと接続部４ｂとに対して等距離となる位置を結ぶ仮想の開口分割線ＯＤＬを定義する。すると、本実施形態のカメラ７１は、基準アイポイント中心ＣＳＥと開口分割線ＯＤＬ上の所定の点を結ぶ仮想直線ＩＳＬが側方部１１と交差する位置に配置されている。
【００４８】
図４に示す画像処理部７４は、少なくとも１つのプロセッサ、メモリ、入出力インターフェース等を基板１５上に実装した電子回路を主体として構築されている機能ブロックとして、実現されている。プロセッサは、入出力インターフェースを通じて入力された撮像素子７２からの入力信号に基づいて、メモリに記憶されているコンピュータプログラムを実行することで、画像処理を実施可能となっている。この電子回路は、画像処理部７４のために個別に設けられていてもよく、画像表示器２０、指針５０等を制御するための制御回路と共通化されていてもよい。
【００４９】
具体的に画像処理部７４は、撮像素子７２から入力された信号により、画像データを生成する。生成された画像データは、そのまま車両１のＥＣＵ（Electric Control Unit）等の車両用表示装置１００の外部に出力され、当該ＥＣＵで解析されるようにしてもよいし、画像処理部７４が画像データを解析し、運転者の居眠りやわき見の有無を判定するようにしてもよい。
【００５０】
図４，６に示す照明部８０は、カメラ７１に撮影される乗員を照明光により照明する。照明部８０は、車両用表示装置１００のうち、カメラ７１が配置された側方部１１ａ以外に配置されている。具体的に本実施形態の照明部８０は、中央表示部１０において画像表示器２０の近傍に配置されている。
【００５１】
照明部８０は、近赤外発光素子８１及び照明制御部８２を有している。近赤外発光素子８１には、例えば発光ダイオードが採用されている。近赤外発光素子８１は、表示板３０よりも反視認側に配置されている。より詳細に近赤外発光素子８１は、基板１５の視認側表面に保持され、基板１５上の導通パターンを通じて電源と接続されることで、照明光としての近赤外光を発光する。特に本実施形態では、例えば８５０ｎｍにピーク波長を有し、半値幅が３０〜４０ｎｍ程度の波長特性を有する近赤外発光素子８１が採用されている。
【００５２】
照明制御部８２は、少なくとも１つのプロセッサ、メモリ、入出力インターフェース等を基板１５上に実装した電子回路を主体として構築されている機能ブロックとして、実現されている。この電子回路は、照明部８０のために個別に設けられてもよく、画像処理部７４を実現する電子回路と共有されてもよく、さらには、画像表示器２０、指針５０等を制御するための制御回路と共通化されていてもよい。
【００５３】
照明制御部８２は、車両１のイグニッションスイッチのオン及びオフ等に応じて、近赤外発光素子８１の点灯及び消灯を制御し、近赤外発光素子８１が点灯されている場合には、画像処理部７４が生成した画像データの明度、コントラスト等に応じてその発光量を制御する。
【００５４】
（作用効果）
以上説明した第１実施形態の作用効果を以下に改めて説明する。
【００５５】
第１実施形態によると、カメラ７１は、中央表示部１０に対して側方に位置する側方部１１に配置されている。このようなカメラ７１の配置では、中央表示部１０の表示に用いる各部品の配置に対して及ぼす影響が少ないので、中央表示部１０の表示に制約が生じることを抑制できる。また、側方部１１は、中央表示部１０よりも乗員に視認される頻度が低く、また乗員が中央表示部１０に誘目されるので、カメラ７１の配置箇所が目立ち難くなる。以上により、乗員を撮影するカメラ７１の配置による表示制約又は外観影響が少ない撮像装置７０を提供することができる。
【００５６】
また、第１実施形態によると、カメラ７１は、光軸ＯＡの延長線ＥＬが正位置における開口部４ｅを通過するように、中央表示部１０の表示面１０ａに対して傾斜して配置されている。このようにすると、カメラ７１が中央表示部１０に対して側方に位置する側方部１１に配置されていても、撮影範囲ＦＣがステアリング操作部４に遮られることを回避して確実に乗員を撮影可能にしつつ、カメラ７１の配置を目立ち難くすることができる。
【００５７】
また、第１実施形態によると、光軸ＯＡの延長線ＥＬは、車両１に設定された基準アイポイント中心ＣＳＥを通るように、設定されている。このようにすると、撮影範囲ＦＣの中心に乗員の顔を位置させて撮影できる蓋然性を高めることができる。したがって、乗員を容易に撮影可能にしつつ、カメラ７１の配置を目立ち難くすることができる。
【００５８】
また、第１実施形態によると、カメラ７１は、側方部１１のうち、基準アイポイント中心ＣＳＥと開口分割線ＯＤＬ上の点を結ぶ仮想直線ＩＳＬが交差する位置に配置されている。このようにすると、カメラ７１の撮影範囲ＦＣに対して、ステアリング操作部４のリム部４ａに遮られる部分と、ステアリング操作部４の接続部４ｂに遮られる部分とのバランスを取ること、すなわち隠れてしまう範囲の均等化が可能となる。このため、基準アイポイント中心ＣＳＥに対し乗員が開口部４ｅからリム部４ａの方向に少しずれた場合にも、また開口部４ｅから接続部４ｂの方向に少しずれた場合にも、乗員がステアリング操作部４に遮られることを回避して乗員を容易に撮影可能にしつつ、カメラ７１の配置を目立ち難くすることができる。
【００５９】
ここで、比較例１，２を用いてより詳細に説明する。図８，９に示す比較例１では、中央表示部１０のうち、画像表示器２０よりも上にカメラ８７１が配置されている。この場合では、カメラ８７１が目立ち易くなるだけでなく、撮影範囲ＦＣの上側の大半がステアリング操作部４のリム部４ａに遮られてしまう。この結果、基準アイポイント中心ＣＳＥに対し乗員が上側にずれると、乗員の顔がリム部４ａに遮られて撮影できなくなってしまうため、乗員の状態を判別することも困難となる。
【００６０】
図１０，１１に示す比較例２では、中央表示部１０のうち、画像表示器２０よりも下にカメラ９７１が配置されている。この場合では、カメラ９７１が目立ち易くなるだけでなく、撮影範囲ＦＣの下側の大半がステアリング操作部４の接続部４ｂに遮られてしまう。この結果、基準アイポイント中心ＣＳＥに対し乗員が下側にずれると、乗員の顔が接続部４ｂに遮られて撮影できなくなってしまうため、乗員の状態を判別することも困難となる。
【００６１】
一方で本実施形態では、図７に示すように、撮影範囲ＦＣにおいて、ステアリング操作部４のリム部４ａに遮られる部分と、ステアリング操作部４の接続部４ｂに遮られる部分とのバランスを取っていることにより、基準アイポイント中心ＣＳＥに対する乗員の上下ずれに対しても、撮影への悪影響を低減することができるのである。
【００６２】
また、第１実施形態によると、撮像装置７０は、車両用表示装置１００のうちカメラ７１が配置された側方部１１ａ以外に配置され、照明光の照明により乗員を照明する照明部８０をさらに備える。このように、カメラ７１の配置位置と照明部８０の配置位置とを離すことにより、照明光が反射されてカメラ７１側に戻ってきたとしても、その反射光とカメラ７１の光軸ＯＡとの間に角度の差が生じる。したがって、例えば乗員の瞳孔又は着用している眼鏡等により照明光が反射されても、その反射光がカメラ７１で検出されることによる悪影響（例えば、赤目、玉見え等により反射光が他の対象であると誤検出されてしまうこと）を抑制することができる。したがって、乗員を容易に撮影可能にしつつ、カメラ７１の配置を目立ち難くすることができる。
【００６３】
また、第１実施形態によると、カメラ７１は、一対の側方部１１のうち、車両１のサイドウインドウ５ａに対してより近距離となる側方部１１ａに、配置されている。このような配置によると、サイドウインドウ５ａから車両用表示装置１００側へ向かって入射する光に対して、カメラ７１が配置された側方部１１ａがフード２ｂの影となり易いので、外光のカメラ７１への影響を抑制して乗員を容易に撮影可能にしつつ、カメラ７１の配置を目立ち難くすることができる。
【００６４】
また、第１実施形態によると、カメラ７１は、中央表示部１０に対して側方に位置する側方部１１に配置されている。このようなカメラ７１の配置では、中央表示部１０の表示に用いる各部品の配置に対して及ぼす影響が少ないので、中央表示部１０の表示に制約が生じることを抑制できる。また、側方部１１は、中央表示部１０よりも乗員に視認される頻度が低く、また乗員が中央表示部１０に誘目されるので、カメラ７１の配置箇所が目立ち難くなる。以上により、乗員を撮影するカメラ７１の配置による表示制約又は外観影響が少ない車両用表示装置１００を提供することができる。
【００６５】
（第２実施形態）
図１２に示すように、第２実施形態は第１実施形態の変形例である。第２実施形態について、第１実施形態とは異なる点を中心に説明する。
【００６６】
第２実施形態の運転席３ａも、車両１の縦中心面ＬＭＰに対して、右に偏心した位置に配置されている。したがって、第２実施形態の車両１も、いわゆる右ハンドル車であり、車両用表示装置１００も縦中心面ＬＭＰに対して右に偏心した位置に配置されている。
【００６７】
第２実施形態の車両１において、車両用表示装置１００よりも左に位置し、縦中心面ＬＭＰ近傍に構成されたセンタ部には、第１実施形態と同様のセンタ配置機器６が配置されている。こうした機器６を確認するための動作が生じ得るため、乗員としての運転者は、車両用表示装置１００から左側を向く頻度及び時間が車両用表示装置１００から右側を向く頻度及び時間よりも多い傾向がある。また、運転者が左側を向く角度も、右側を向く角度よりも大きい傾向がある。
【００６８】
こうした傾向に対応して、第２実施形態の撮像装置２７０におけるカメラ２７１は、一対の側方部１１のうち、縦中心面ＬＭＰに対してより近距離となる側方部１１ｂに、配置されている。カメラ２７１は、その光軸ＯＡ及び撮像面７２ａを、表示板３０の視認側表面に対して傾斜して配置されている。具体的にカメラ２７１は、そのレンズ部７３が車両用表示装置１００の内周側（換言すると右側）を向くように傾斜している。
【００６９】
以上説明した第２実施形態によると、カメラ２７１は、一対の側方部１１のうち、縦中心面ＬＭＰに対してより近距離となる側方部１１ｂに、配置されている。運転者等の乗員には、車両１の縦中心面ＬＭＰ側を向き易い傾向があるため、この傾向を利用して、運転者等の乗員と正対する位置にカメラ２７１が配置されることにより、当該乗員を正面に近い角度から撮影する機会が増加する。したがって、乗員を容易に撮影可能にしつつ、カメラ２７１の配置を目立ち難くすることができる。
【００７０】
乗員を正面から撮影すると、乗員の居眠りやわき見等の状態の判別精度をより高めることができる。
【００７１】
（他の実施形態）
以上、複数の実施形態について説明したが、開示は、それらの実施形態に限定して解釈されるものではなく、開示の要旨を逸脱しない範囲内において種々の実施形態及び組み合わせに適用することができる。
【００７２】
具体的に変形例１としては、ウインドプレート６０においてカメラ７１のレンズ部７３と対向する内周壁部６２の対向領域に、開口穴６２ａが開けられていなくてもよい。この例として、対向領域が近赤外光透過領域に設定されていてもよい。近赤外光透過領域では、近赤外光の透過率が高く設定されていると共に、近赤外光よりも短波長の可視光の透過率が低く設定されている。この近赤外光透過領域を透過した近赤外光を撮像素子７２により検出可能としつつ、視認側の乗員からカメラが明確に視認されないようにすることができる。
【００７３】
変形例２としては、カメラ７１は、側方部１１に配置されていれば、ウインドプレート６０の配置空間６３ではなく、表示板３０よりも反視認側に配置されていてもよい。
【００７４】
変形例３としては、照明部８０は、一対の側方部１１のうち、カメラ７１が配置されていない側方部に配置されていてもよい。
【００７５】
変形例４としては、照明部８０は、撮像装置７０の一部を構成するものでなくてもよく、車両用表示装置１００の内部に設けられていなくてもよい。
【００７６】
変形例５としては、カメラ７１は、基準アイポイント中心ＣＳＥと開口分割線ＯＤＬ上の点を結ぶ仮想直線ＩＳＬと交差する位置からずれて配置されていてもよい。
【００７７】
変形例６としては、カメラ７１の光軸ＯＡの延長線ＥＬは、基準アイポイント中心ＣＳＥを通るように設定されていなくてもよい。
【００７８】
変形例７としては、中央表示部１０の少なくとも一部分は、ステアリング操作部４よりも外側において情報を表示してもよい。
【００７９】
変形例８としては、中央表示部１０に画像表示器２０が設けられていなくてもよい。また、中央表示部１０に指針５０及び指標３１が設けられていなくてもよい。中央表示部１０として、様々な構成を採用することができる。
【００８０】
変形例９としては、本開示は、運転席３ａが車両１の縦中心面ＬＭＰに対して左に偏心したいわゆる左ハンドル車において、当該縦中心面ＬＭＰに対して左に偏心した位置に配置されている車両用表示装置１００に対しても、適用可能である。
【符号の説明】
【００８１】
１  車両、１０  中央表示部、１１  側方部、７０  撮像装置、７１  カメラ、１００  車両用表示装置
【図１】
2019018751.tif 000003
【図２】
2019018751.tif 000004
【図３】
2019018751.tif 000005
【図４】
2019018751.tif 000006
【図５】
2019018751.tif 000007
【図６】
2019018751.tif 000008
【図７】
2019018751.tif 000009
【図８】
2019018751.tif 000010
【図９】
2019018751.tif 000011
【図１０】
2019018751.tif 000012
【図１１】
2019018751.tif 000013
【図１２】
2019018751.tif 000014